(57)【特許請求の範囲】
【請求項１】
印刷機の版胴２に設けた係止手段１８で版胴２の外周に巻き付けられた印版１の一端を版胴２に係止し、その印版１の他端を前記版胴２の外周に形成された収納溝１９内に回転可能に設けた巻き軸３に保持させ、その巻き軸３を回転させて前記印版１を前記版胴２の外周に締め付ける版締め装置において、前記版胴２の版胴軸９を筒状とし、その版胴軸９に対して回転可能な操作軸５を版胴軸９内に同軸に設け、その操作軸５の回転を前記巻き軸３に伝達するトルク伝達機構２１、２２、２３を設け、前記操作軸５を回転駆動する版締め用モータ４を設け、その版締め用モータ４の回転を前記操作軸５に伝達するトルク伝達経路に回転の伝達と遮断を行なう第１クラッチ６と操作軸５の回転抵抗が異常上昇したときに回転の伝達を遮断するトルクリミッタ１７とを設け、前記版胴軸９と前記操作軸５の結合と切り離しを行なう第２クラッチ７を版胴軸９の端部に設け、前記版胴軸９と操作軸５の間の回転伝達経路が前記第２クラッチ７のみで構成されていることを特徴とする版締め装置。
【請求項２】
前記巻き軸３の端部に、巻き軸３が前記印版１の緩み方向に回転するのを防止するラチェット機構を設けた請求項１に記載の版締め装置。
【発明の詳細な説明】
【技術分野】
【０００１】
この発明は、印刷機の版胴に巻き付けられた印版を版胴の外周に締め付ける版締め装置に関する。
【背景技術】
【０００２】
印刷機の印版は、一般に、版胴の外周に形成された係止溝に一端を係止させた後に、版胴の外周に形成された収納溝内に回転可能に設けられた巻き軸に他端を保持させ、その巻き軸を回転させて印版の端部を巻き取ることによって版胴の外周に締め付けて固定する。この巻き軸は、一般にラチェット機構により逆回転を防止した状態で人手により回転させるが、人手により巻き軸を回転させるのは面倒である。
【０００３】
そこで、手作業による労力を省くために、巻き軸の端部に小歯車を取り付け、その小歯車と噛み合う大歯車を版胴軸に回転可能に設け、その大歯車の回転を制動する制動機構を設けた版締め装置が提案されている（特許文献１）。この装置は、大歯車を制動した状態で版胴を回転させることにより、小歯車が公転しながら自転し、巻き軸を回転させる。
【０００４】
しかし、この版締め装置は、巻き軸を回転させるために版胴を回転させる必要がある。そのため、版胴に作業者が巻き込まれる危険性があり、安全上の問題があった。
【０００５】
【特許文献１】登録実用新案第２５４５１８４号公報
【発明の開示】
【発明が解決しようとする課題】
【０００６】
この発明は、版胴を回転させることなく巻き軸を回転させて印版を締め付けることが可能な版締め装置を提供することである。
【課題を解決するための手段】
【０００７】
この課題を解決するために、版胴軸を筒状とし、その版胴軸に対して回転可能な操作軸を版胴軸内に設け、その操作軸の回転を巻き軸に伝達するトルク伝達機構を設け、前記操作軸を回転駆動する版締め用モータを設け、その版締め用モータの回転を前記操作軸に伝達するトルク伝達経路に回転の伝達と遮断を行なう第１クラッチを設けた。この版締め装置は、第１クラッチで版締め用モータの回転を操作軸に伝達させることにより、その操作軸の回転がトルク伝達機構を介して巻き軸に伝達され、巻き軸が回転して印版の端部を巻き取る。また、印刷時に第１クラッチで版締め用モータから操作軸への回転の伝達を遮断しておくことにより、操作軸が版胴軸に対して相対回転するのを防止することができる。
【０００８】
この版締め装置は、前記版胴軸と前記操作軸の結合と切り離しを行なう第２クラッチを版胴軸の端部に設けるとより好ましい。このようにしたものは、印刷時に第２クラッチで版胴軸と操作軸を結合しておくことにより、版胴軸と操作軸が一体に回転するので、操作軸が版胴軸に対して相対回転するのをより確実に防止することができる。印版の締め付け時は、第２クラッチで版胴軸と操作軸を切り離しておく。
【０００９】
また、前記巻き軸の端部に、巻き軸が前記印版の緩み方向に回転するのを防止するラチェット機構を設けるとより好ましい。
【発明の効果】
【００１０】
この発明の版締め装置は、版胴の回転駆動源とは別個に版締め用モータを設けたので、版胴を回転させずに巻き軸を回転させることができる。そのため、版締め作業の安全性が高い。また、印刷時に第１クラッチで版締め用モータから操作軸への回転の伝達を遮断しておくことにより、版胴軸に対して操作軸が相対回転して印版の締め付け力が変動するのを防止することができる。そのため、印版の伸びの変動による印刷精度の低下が生じにくい。
【００１１】
さらに版胴軸と操作軸の結合と切り離しを行なう第２クラッチを設けたものは、印刷時に第２クラッチで版胴軸と操作軸を結合しておくことにより、版胴軸に対して操作軸が相対回転して印版の締め付け力が変動するのをより確実に防止することができる。そのため、印版の伸びの変動による印刷精度の低下がより生じにくい。
【００１２】
また、前記巻き軸の端部に、巻き軸が印版の緩み方向に回転するのを防止するラチェット機構を設けたものは、印刷時に印版が緩みにくい。
【発明を実施するための最良の形態】
【００１３】
図１から図７に、この発明の版締め装置の実施形態を示す。この版締め装置は、印版１を取り付ける版胴２と、印版１の端部を巻き取る巻き軸３と、版締め用モータ４と、版締め用モータ４で回転駆動する操作軸５と、第１クラッチ６と、第２クラッチ７を有する。
【００１４】
版胴２は、図１に示すように両側の版胴軸８、９が、それぞれ印刷機のフレーム１０、１１によって回転可能に支持されている。一方の版胴軸９には、圧胴１２の軸（図示せず）に固定された圧胴ギア１３と噛み合う版胴ギア１４が固定されており、このギアの噛み合いによって版胴２と圧胴１２が逆方向に同速度で回転する。
【００１５】
版胴軸９は、図２に示すように筒状となっており、その中に操作軸５が挿入されている。この操作軸５は、版胴軸９の中に圧入されたブッシュ１５により版胴軸９に対して回転可能に支持されている。操作軸５には、回転の伝達と遮断を行なう第１クラッチ６を介して版締め用モータ４が連結されており、この版締め用モータ４を作動させて操作軸５を回転駆動することができるようになっている。また、版胴軸９の端部には、その版胴軸９と操作軸５の結合と切り離しを行なう第２クラッチ７が設けられている。
【００１６】
版締め用モータ４には減速機１６が取り付けられており、この減速機１６で版締め用モータ４の回転を減速して伝達している。また、操作軸５の回転抵抗が異常上昇したときに回転の伝達を遮断するトルクリミッタ１７が減速機１６に取り付けられており、これにより操作軸５の破損を防止している。
【００１７】
版胴２の外周には、図５に示すように、係止溝１８が版胴２の軸方向に連続して形成されており、この係止溝１８に、印版１の一端の係止片１ａを係止させることができるようになっている。また、係止溝１８に対して版胴２の周方向に間隔をおいた位置に収納溝１９が形成されており、この収納溝１９内に巻き軸３が回転可能に設けられている。巻き軸３は、版胴２の軸方向に連続する切欠き部２０を外周に有し、この切欠き部２０で印版１の他端の係止片１ｂを係止して印版１の端部を保持することができることができるようになっている。
【００１８】
操作軸５は、図２に示すように版胴軸９を貫通しており、その貫通部分にギア２１が固定されている。このギア２１は、図３に示すように版胴２に取り付けた回転可能なギア２２を介して、巻き軸３の端部に固定したギア２３に噛み合っている。そのため、操作軸５を回転させると、操作軸５の回転がギア２１、２２、２３を介して巻き軸３に伝達される。
【００１９】
巻き軸３には、図４に示すように、ギア２３と反対側の端部にラチェットホイール２４が取り付けられている。このラチェットホイール２４には、版胴２に取り付けた揺動可能なラチェット爪２５が係合しており、このラチェットホイール２４とラチェット爪２５の係合により巻き軸３が印版１の締め付け方向にのみ回転できるようになっている。ラチェット爪２５は、ラチェットホイール２４に向かってばね２６で付勢されてラチェットホイール２４との係合状態を保っている。またラチェット爪２５には、係合解除用のレバー２７が形成されており、このレバー２７を操作してラチェット爪２５を揺動させることによりラチェットホイール２４とラチェット爪２５の係合を解除することができるようになっている。
【００２０】
この版締め装置を用いると、たとえば次のようにして版胴２の外周に印版１を締め付けることができる。
【００２１】
まず、図５に示すように版胴２の外周に印版１を巻き付け、その印版１の一端の係止片１ａを版胴２の係止溝１８に係止させ、他端の係止片１ｂを巻き軸３の切欠き部２０に係止させる。つぎに、図７に示すように、第１クラッチ６で版締め用モータ４から操作軸５への回転の伝達が可能な状態にするとともに第２クラッチ７で版胴軸９と操作軸５を切り離し、版締め用モータ４を作動させて操作軸５を回転させる。操作軸５が回転すると、図６に示すように巻き軸３が回転して印版１の端部を巻き取り、版胴２の外周に印版１を締め付ける。
【００２２】
版胴２の外周に印版１を締め付けた後は、図２に示すように、第１クラッチ６で版締め用モータ４から操作軸５への回転の伝達を遮断するとともに第２クラッチ７で版胴軸９と操作軸５を結合した状態で印刷を行なう。このとき、第１クラッチ６で版締め用モータ４から操作軸５への回転の伝達を遮断しているので、操作軸５が版胴軸９に対して相対回転しにくい。そのため、印版１の締め付け力が変動しにくく、印版１の伸びが変動することによる印刷精度の低下が生じにくい。また、第２クラッチ７で版胴軸９と操作軸５を結合しているので、その第２クラッチ７が版胴軸９と操作軸５を一体に回転させる。そのため、版胴軸９に対して操作軸５がより相対回転しにくく、印刷精度がより安定する。さらに、ラチェットホイール２４に係合したラチェット爪２５が、印版１の緩み方向への巻き軸３の回転を防止するので、印版１の緩みが生じない。
【００２３】
版胴２から印版１を取り外すときは、版胴２の回転を停止させた後、図７に示すように、第１クラッチ６で版締め用モータ４から操作軸５への回転の伝達が可能な状態にするとともに第２クラッチ７で版胴軸９と操作軸５を切り離し、さらにラチェットホイール２４とラチェット爪２５の係合を解除する。その状態で版締め用モータ４を逆転させ、その版締め用モータ４の動力で巻き軸３を回転させて印版１を緩める。
【００２４】
この版締め装置は、版締め用モータ４で巻き軸３を回転させるので版締め作業の労力が小さく、また版胴２を回転させずに巻き軸３を回転させることができるので、版締め作業の安全性が高い。
【００２５】
印版１を取り外す作業は、第１クラッチ６で版締め用モータ４から操作軸５への回転の伝達を遮断するとともに第２クラッチ７で版胴軸９と操作軸５を切り離し、さらにラチェットホイール２４とラチェット爪２５の係合を解除した状態で、人手により印版１を緩めて行なってもよい。
【図面の簡単な説明】
【００２６】
【図１】この発明の版締め装置の実施形態を示す全体図
【図２】図１の版締め装置の版胴軸の軸線に沿った断面図
【図３】図２のＩＩＩ−ＩＩＩ線に沿った断面図
【図４】図１の版締め装置のラチェット機構を示す図
【図５】図１の版締め装置の巻き軸に印版の一端を保持させた状態を示す図
【図６】図５の巻き軸を回転させて印版を締め付けた状態を示す図
【図７】図２の第１クラッチを接続し、第２クラッチを切り離した状態を示す図
【符号の説明】
【００２７】
１                  印版
２                  版胴
３                  巻き軸
４                  版締め用モータ
５                  操作軸
６                  第１クラッチ
７                  第２クラッチ
８、９              版胴軸
１８                係止溝
１９                収納溝
２１、２２、２３    ギア
【図１】
0004694281.tif 000002
【図２】
0004694281.tif 000003
【図３】
0004694281.tif 000004
【図４】
0004694281.tif 000005
【図５】
0004694281.tif 000006
【図６】
0004694281.tif 000007
【図７】
0004694281.tif 000008